(57)【要約】操作デバイスを有するハンドヘルド機能装置のための手段であって、装置が、一体化された例えばＬＣＤタイプの表示画面を有しており、あるいは遠隔表示画面への通信リンクを有している手段が提供される。操作デバイスは、表示画面上で自由に可動なカーソルをインターフェースを介して少なくとも２次元で制御するようになっている制御要素を有し、いくつかの機能アイコンの任意に選択した１つにカーソルを移動させて、制御要素の作動時に、アイコン、すなわちアイコンに関連付けられた装置の機能を選択する操作と、カーソルを使用することによって画面上のメニュー内をナビゲートする操作と、装置機能に関連付けられた様々なメニュー・オプションの選択および確認を行う操作と、フォルダ／ファイルを開閉する操作と、装置機能を実施する操作と、任意選択で画面上に表示されるキーボードによって、数、記号、および文字の選択を取り扱う操作と、任意の時間に画面上に表示されるデータまたは他の情報の少なくともいくつかを操作または移動させる操作との少なくとも１つを実施する。
2004511849.tif 000002
【特許請求の範囲】
【請求項１】
操作デバイスを有するハンドヘルド機能装置のための手段であって、該装置は、一般に人の手とほぼ同じサイズであり、また一体化された例えばＬＣＤタイプの表示画面を有しており、あるいは遠隔表示画面への通信回路を有している手段において、
前記操作デバイスが、前記表示画面上を自由に動くことのできるカーソルを少なくとも２次元で制御するようにインターフェースを介して設計された制御要素を有しており、それによって
前記制御要素を作動させて、アイコン、すなわちアイコンに関連付けられた装置の機能を選択するために、いくつかの機能アイコンのうちの任意に選択した１つにカーソルを移動させる操作、
カーソルを用いて画面上のメニュー内をナビゲートする操作、
前記装置の機能に関連付けられた様々なメニュー・オプションの選択および確認を行う操作、
フォルダやファイルを開き、あるいは閉じる操作、
前記装置の機能を実行する操作、
選択的に画面上に表示されるキーボードを用いて、数、記号、および文字の選択を取り扱う操作、および
任意の時間に画面上に表示されるデータまたは他の情報の少なくともいくつかを取り扱い、または移動させる操作
のうちの少なくとも１つを実行することを特徴とする手段。
【請求項２】
前記操作デバイス制御要素が、使用者の片手のただ１本の指によって操作されるように設計されていることを特徴とする請求項１に記載の手段。
【請求項３】
前記機能装置が、前記片手のみを使って保持または支持されるように設計されていることを特徴とする請求項２に記載の手段。
【請求項４】
前記操作デバイスが、
ａ）傾斜および／または押下機能を有する段階的可動スライド・キーと、
ｂ）押下機能および／または中心位置偏倚機能を有する段階的回転可能キーと、
ｃ）押下機能を有する段階的回転可能リングであって、中心位置偏倚機能を有する非回転可能キーを取り囲んでいる段階的回転可能リングと、
ｄ）横方向に傾斜可能な回転可能ホイールまたはローラと、
ｅ）静電容量感応式タッチ・パッドまたは接触面と、
ｆ）制御要素の接触面にある静電容量センサと、
ｇ）回転可能ホイールまたはシリンダであって、その両側部に位置付けられたキーを有する回転可能ホイールまたはシリンダと、
ｈ）直線的に可動な中心位置偏倚キーであって、その両側部に位置付けられたキーを有する中心位置偏倚キーと、
ｉ）傾斜スイッチまたはスライド・スイッチであって、その両側部に位置付けられたキーを選択的に備えている傾斜スイッチまたはスライド・スイッチと、
ｊ）ｘ／ｙまたはｘ／ｙ／ｚ傾斜可能スイッチと、
ｋ）組み合わせられた複数のスイッチと
からなる群から選択される１つまたは複数の制御要素を有することを特徴とする請求項１、請求項２、または請求項３に記載の手段。
【請求項５】
前記操作デバイスが、指に装着されるように設計されていることを特徴とする請求項４に記載の手段。
【請求項６】
前記操作デバイスが、遠隔ディスプレイとワイヤレス接続されていることを特徴とする請求項５に記載の手段。
【発明の詳細な説明】
【０００１】
本発明は、操作デバイスを有するハンドヘルド機能装置のための手段に関するものである。この装置は、一般に人の手とほぼ同じサイズであり、また一体化された例えばＬＣＤタイプの表示画面を有しており、あるいは遠隔表示画面への通信リンク（通信回路）を有している。
【０００２】
そのような手段は、例えば移動電話や、音響機器（例えばステレオ・システム）、ＴＶセット、記録／再生機器などを制御するためのリモコン・ユニットなどによって一般に知られている。
【０００３】
そのような装置は、ますます多くの機能を備える傾向にあり、また、例えば関連する全ての接続および機能を備えた複合パーソナル・コンピュータ（ＰＣ）や移動電話など、ただ１つの装置を有するようになる傾向もある。
【０００４】
そのような装置に位置する個々のキーはそれぞれ、多くの場合、そのキーで操作する機能への参照を備える。
【０００５】
しかし、ハンドヘルド機能装置の場合、多数の機能キーの完全な総括を有することは必ずしも簡単ではないので、必要な機能を実施できるようにすることがますます困難になってきている。さらに、この種の装置は、時間の経過と共に進歩して多機能装置になってきている。その一例が移動電話であり、多数のアプリケーションが組み込まれた移動端末に徐々になってきた。
【０００６】
したがって、装置によって実行される機能の操作を、効率良く且つ簡単に実施できるようにする解決策を提供することが長く望まれている。
【０００７】
本発明によれば、操作デバイスが、表示画面上を自由に動くことのできるカーソルを少なくとも２次元で制御するようにインターフェースを介して設計された制御要素を有していることを特徴とする手段が提供され、それによって
いくつかの機能アイコンのうちの任意に選択した１つにカーソルを移動させて、制御要素の作動時にアイコンを選択する操作、すなわちアイコンに関連付けられた装置の機能を選択する操作と、
カーソルを用いて画面上のメニュー内をナビゲート（すなわちメニューにしたがって進行）する操作と、
装置の機能に関連付けられた様々なメニュー・オプションの選択および確認を行う操作と、
フォルダ／ファイルを開き、または閉じる操作と、
装置の機能を実行する操作と、
選択的に画面上に表示されるキーボードを用いて、数、記号、および文字の選択を取り扱う操作と、
任意に画面上に表示されるデータまたは他の情報の少なくともいくつかを取り扱い、または移動させる操作と
のうちの少なくとも１つが実施される。
【０００８】
この手段の追加の実施形態は、頭記の特許請求の範囲、および添付図面に関連する以下の説明から明らかになろう。
【０００９】
図１〜図１２は、それぞれの図ごとに、一例として、それぞれの機能装置を平面図および側面図で示している。
【００１０】
図１、図２、図３および図４は、表示画面１を有し且つ操作デバイスを備える機能装置を示しており、この操作デバイスは、傾斜（ｔｉｌｔｉｎｇ）および／または押下（ｄｅｐｒｅｓｓｉｏｎ）機能を有する段階的可動摺動キー（スライド・キー）からなる制御要素を有している。図１、図２、図３および図４では、これら制御要素がそれぞれ参照番号２、３、４、５によって示されている。図１では、摺動キー２が、機能装置の長手方向への進行方向を有しており、その上側に位置しているのを見ることができる。同じことが図２の実施形態にも当てはまり、しかしこの摺動キーは、機能装置の長手方向軸線に対して斜めになっている。
【００１１】
図３に示される実施形態では、摺動キー４が機能装置の側部に位置する。
【００１２】
図４では、摺動キーは、湾曲経路に沿って移動するように設計されている。
【００１３】
図５に示される実施形態は、押下機能および／または中心位置ずらし機能（中心位置偏倚機能）を有する段階的回転可能キー６を有する。
【００１４】
図６では、操作デバイスは、押下機能を有する段階的回転可能リング部材７であって、中心位置ずらし機能を有する非回転可能キーを取り囲む部材７から形成される２つの制御要素からなる。
【００１５】
図７の実施形態は、好ましくは横向きに傾斜可能な回転可能ホイールを示し、ホイールは機能装置の側部に位置している。
【００１６】
図８では、ホイールが参照番号９によって示され、機能装置の前面プレートから上に突出している変形形態を示す。この場合も、回転可能ホイール９は、好ましくは横方向に傾斜可能であり、それにより、例えば３つの機能オプションの選択の制御を可能にする。
【００１７】
図９は、機能装置の前面に位置する回転可能ローラ１０を示し、ローラが好ましくは横方向に傾斜可能である。同様の解決策が図１０で参照番号１１によって示され、しかしローラは機能装置の側部に位置している。
【００１８】
図１１は、機能装置の前面に位置するエンドレス・ベルト・ベースの操作デバイス制御要素１２を示し、図１２は、機能装置の側部に位置する同様のスイッチ１３を示す。
【００１９】
図１３ａは、例えば移動電話１５に関連する本発明の実施例を示し、この移動電話１５は、選択された例では、押下機能および／または中心位置ずらし機能を有する段階的に回転可能なキーを有する。この種のキーまたは制御要素１６は、機能装置の全ての機能の操作を制御することができる。これは、制御要素１６が、メニュー機能およびメニュー・リストのブラウジングと、機能および機能詳細の選択とを可能にすることによって達成される。図１３では、例えば移動電話のスピーカが参照番号１７によって示され、移動電話のマイクロフォンが参照番号１８によって示されている。図１４に、図１３に示される機能装置を片手１９で保持して操作する様子が示されている。当然、図１３および図１４に示される解決策は、移動電話以外の機能装置、例えば計算器または他の小さな、かなり単純な機能装置にも使用することができる。
【００２０】
図１５は、操作デバイスが、機能装置２１の前側に位置する段階的可動摺動キー２０からなる代替解決策を示す。機能装置の受信部およびマイクロフォンが、それぞれ参照番号２２および２３によって示されている。機能装置に組み込まれた表示画面が、この図では参照番号２４によって示されている。図１５の実施形態は、特に移動電話に関して使用することを意図されているが、この解決策を多くの他のタイプのハンドヘルド機能装置に使用することができることを理解されたい。
【００２１】
図１６は、図１５に示される機能装置を片手２５で簡単に保持して操作することができる様子を示す。
【００２２】
図１７は、表示画面２７および操作デバイス２８を有する機能装置２６を示す。この場合、操作デバイスは、例えば、押下機能を有する段階的回転可能リング部材２８’であって、中心位置ずらし機能を備える場合がある非回転可能キー２８”を取り囲む部材２８’からなる場合がある。中心位置ずらし機能の原理は、表示画面２７など表示画面上でのカーソルの制御に関連して重要である。
【００２３】
図１８は、図１７に示されるような機能装置を、図示した例では両手２９、３０を使って保持することができる様子を示し、機能装置はよくこのようにして保持される。両手を使用することによって、ユーザは、親指のみの使用に完全には限定されず、人差し指など他の指を選択することもできる。
【００２４】
図１９は、図１７に示される機能装置を片手３１を使って保持して操作することができる様子を示す。使用者の手に対する機能装置のいくつかの異なる姿勢も可能である。
【００２５】
図２０〜図２２および図２３〜図２４は、ミニＰＣなど、ある画面サイズを必要とする機能装置を利用するときのロータリ・スイッチおよび摺動スイッチの使用に関連する代替スイッチ位置をそれぞれ示す。図２０〜図２４で、機能装置がそれぞれ参照番号３２、３５、３８、４１、および４４によって示され、図２０〜図２２で、制御要素がそれぞれ参照番号３３、３６、および３９によって示される。上述したように、この種の制御要素は、例えば、押下機能および／または中心位置ずらし機能を有する段階的回転可能キーとなるように選択することができる。図２３および図２４では、制御要素が、傾斜および／または押下機能を有する段階的可動摺動キーからなる。図２３および図２４で、この摺動キーは参照番号４５によって示される。さらに、図２０〜図２４で、実際の表示画面が、それぞれ参照番号３４、３７、４０、４３、および４６によって示されている。
【００２６】
図２５は、大きな画面サイズを必要とする機能装置の代替解決策を示し、機能装置４７が、片手４８を使って保持して操作するように設計されており、この場合、操作デバイスは、限定はしないが、押下機能を有する段階的回転可能リング部材４９であって、中心位置ずらし機能を有する非回転可能キー４９’を取り囲む部材４９として示されている。図２５では、表示画面が参照番号５０によって示されている。
【００２７】
図２６は、図２５から明らかになる解決策に対する代替解決策を示し、機能装置は、参照番号５１によって示され、傾斜および／または押下機能を有する段階的可動摺動キーの形での制御要素５３を使用することによって、片手５２を使って保持して操作することができる。機能装置の表示画面は参照番号５４によって示されている。
【００２８】
図２７は、図示した例では、参照番号５７によって示される傾斜および／または押下機能を有する段階的可動摺動キーからなる多機能操作デバイス５６を実施する機能装置５５を示す。ただし、操作デバイス５６は、押下機能および／または中心位置ずらし機能を有する段階的回転可能キー、または例えば、中心位置ずらし機能を有する非回転可能キーを取り囲む、押下機能を有する段階的回転可能リング部材など、他の解決策によって簡単に置き換えることができる。図２７から明らかなように、機能装置５５は、それ独自の表示画面を有さず、表示画面６２を有するディスプレイ装置６１にある信号受信機６０と信号ルート５９を介して通信するための信号送信部５８を備える。操作デバイス５６を操作することによって、ユーザは、表示画面６２を介して確認応答メッセージを即座に受信し、それによりこの場合も、実際の操作デバイス上に特定の機能表示を有する必要はない。機能装置５５は、何らかの形の表示画面を備える他のアプリケーションの遠隔制御に都合良く使用することができる。この点で想定される例は、ＴＶセット、ＰＣ、ミュージック・センター（システムコンポ）、フィルム投影機、オーバーヘッド投影機、投影装置などであり、機能装置は、信号の遠隔伝送のための内蔵技術を有さなければならない。図２７ａでは、機能装置５５を片手６３を使って保持して操作することができることが簡単にわかる。当然、これは、従来の通常のものよりもかなり簡単に、かつ速く、機能を実施することができることを意味する。
【００２９】
図２８は、ベース６５上に取り付けられた操作デバイス６４を示し、操作デバイス６４は、特定の押下機能を有する段階的回転可能リング部材６６であって、中心位置ずらし機能を有する非回転可能キー６７を取り囲む部材６６を有し、それにより、機能アイコンによって表される所望の機能にカーソルを向けるための表示画面上のカーソルの制御を容易にする。この種の操作デバイスは、例えば、送信機６９と、ディスプレイ７１に関連付けられた受信機７０とを介して、参照番号６８によって示されるようにワイヤレスで通信することができる。この種の操作デバイス６４は、例えば、コンピュータの近傍に配置し、前記ワイヤレス接続６８を介してコンピュータと通信することができるが、例えば指の上にそのような操作デバイス６４を置いてデバイスの制御を容易にすることもできる。
【００３０】
例示して説明したことに関連して使用するように意図された制御要素の一部をより詳細に説明するために、例えば４つの押下点７３、７４、７５、および７６での押下機能を有する段階的回転可能キー７２を図２９に示す。この種の回転可能キーは、前記押下点７３〜７６に対する代替形態として、中心位置ずらし機能を備えていてもよく、またはそのような機能を補助として有していてもよい。
【００３１】
図３０は、参照番号７８〜８１によって示される押下機能を有する段階的回転可能リング部材７７であって、図３０上側の座標によって示されるように中心位置ずらし機能を有する非回転可能キー８２を取り囲む部材７７を示している。
【００３２】
図３１は、横方向傾斜性および押下機能を有する段階式可動摺動キー８３を示す。図３２に示される解決策では、段階的可動摺動キーが参照番号８４によって示されている。この場合、制御要素またはキー８４は、中心で押下可能であるのに加えて、横および前後に傾斜可能であり、それにより、実際には、制御要素８４の各段階位置それぞれについて、５つのスイッチ選択オプションが存在する。
【００３３】
ここまで例示して説明してきたことは通常、操作デバイスが制御要素を有しているときに使用される。制御要素は、制御要素を作動することによってアイコン（すなわちアイコンに関連付けられた装置の機能）を選択するために、いくつかの機能アイコンの任意に選択した１つに向けてカーソルを移動させるなど、１つまたは複数の操作を行うために表示画面上で自由に可動なカーソルを少なくともインターフェースを介して２次元で制御するように設計されている。
【００３４】
これは、図３３により詳細に例示されており、機能装置が参照番号８５によって示されており、操作デバイスが参照番号８６によって示されている。図示した例では、操作デバイスは、押下機能を有する段階的回転可能リング部材８６’からなり、リング部材８６’が、中心位置ずらし機能を有する非回転可能キー８６”を取り囲んでいる。キー８６’は、アイコン８９など選択されたアイコンにカーソル８７を移動させることができるように、機能装置８５の表示画面８８上でカーソル８７を制御するのに重要である。インターフェース９０は、操作デバイス８６と連絡し、またマイクロプロセッサ９１とも連絡しており、マイクロプロセッサ９１が表示画面８８上の表示を制御する。
【００３５】
操作デバイス８６は、図３３ではある特定の実施形態で示されているが、操作デバイスの他の実施形態も可能であることが即座に理解されよう。しかし、重要なことは、機能装置を片手を使って保持して操作することができることである。当然、図３４に示されるように両手を使うこともでき、その場合、第２の手は、例えばユーザが不安定な姿勢で立っているとき、または片手だけで装置を保持するのが安全でないと感じられるときに、単にサポートの役割をする。
【００３６】
図３４では、機能装置が一般に参照番号９２で示され、表示画面９３を有し、操作デバイス制御要素は一般に象徴的に参照番号９４によって示され、例えばいくつかのアイコン９６の１つを選択するために表示画面上でカーソルを移動させるようにカーソル９５を制御するように設計される。したがって、操作デバイスおよびその制御要素は、上で例示して説明したタイプの任意の１つであってよい。また、これに関連して、例えば図１〜図５、図１３〜図２８、図２９〜図３２に例示される実施形態の少なくともいくつかにおける制御要素が、制御要素の接触面に関連して静電容量センサを備えることを想定することもできる。さらに、例えば制御要素が静電容量感応式タッチ・パッドからなる場合もあることを想定することができる。
【００３７】
あるいは、静電容量感知タッチ・パッドまたは接触面を使用することができる。図示した解決策、例えば図８および図１１では、制御要素９が、必ずしも横方向に傾斜可能である必要はなく、その両側部に位置するスイッチ・キー９、９’と協働することができる。図１１に示される解決策では、キー１２が、その両側部にスイッチ・キー１２’、１２”を有することができる。スイッチ１２は、例えば、摺動スイッチ、または直線的に可動な中心位置ずらしキーであってよい。キー１２が傾斜スイッチに関連することを想定することもできる。
【００３８】
例えば図１と、図３１および図３２とに示されるスイッチ解決策は、はじめはｘ／ｙ方向スイッチとして働く。しかし、これは、ｘ／ｙ／ｚ関連スイッチ機能に関係付けることもでき、例えば、中心押下によって例えばｚ面での移動をもたらすことができる、すなわち表示画面上で互いに重なって平面内に現れて位置する異なるメニュー・イメージ間で移動できることを理解されたい。
【００３９】
また、例えば図５および図６ならびに図２９および図３０に関連して示されているスイッチを、ｘ／ｙまたはｘ／ｙ／ｚ機能に簡単に適合させることができることも理解されよう。
【００４０】
制御要素を有する操作デバイスのいくつかの例が想定可能であるが、制御のさらに大きな自由度を達成するために、例示操作デバイスのいくつかの異なるものを組み合わせることに関連する場合もいくつか存在する。
【００４１】
図２８で概説されているように、参照番号６４によって示される操作デバイスを、任意選択でリング９７に固定することができ、それにより操作デバイスを指に装着し、同じ手の別の指で制御することができる。
【図面の簡単な説明】
【図１ａ】
ただ１つの操作デバイスを有する移動電話または同様の装置の典型的な例を示す図である。
【図１ｂ】
ただ１つの操作デバイスを有する移動電話または同様の装置の典型的な例を示す図である。
【図２ａ】
ただ１つの操作デバイスを有する移動電話または同様の装置の典型的な例を示す図である。
【図２ｂ】
ただ１つの操作デバイスを有する移動電話または同様の装置の典型的な例を示す図である。
【図３ａ】
ただ１つの操作デバイスを有する移動電話または同様の装置の典型的な例を示す図である。
【図３ｂ】
ただ１つの操作デバイスを有する移動電話または同様の装置の典型的な例を示す図である。
【図４ａ】
ただ１つの操作デバイスを有する移動電話または同様の装置の典型的な例を示す図である。
【図４ｂ】
ただ１つの操作デバイスを有する移動電話または同様の装置の典型的な例を示す図である。
【図５ａ】
ただ１つの操作デバイスを有する移動電話または同様の装置の典型的な例を示す図である。
【図５ｂ】
ただ１つの操作デバイスを有する移動電話または同様の装置の典型的な例を示す図である。
【図６ａ】
ただ１つの操作デバイスを有する移動電話または同様の装置の典型的な例を示す図である。
【図６ｂ】
ただ１つの操作デバイスを有する移動電話または同様の装置の典型的な例を示す図である。
【図７ａ】
ただ１つの操作デバイスを有する移動電話または同様の装置の典型的な例を示す図である。
【図７ｂ】
ただ１つの操作デバイスを有する移動電話または同様の装置の典型的な例を示す図である。
【図８ａ】
ただ１つの操作デバイスを有する移動電話または同様の装置の典型的な例を示す図である。
【図８ｂ】
ただ１つの操作デバイスを有する移動電話または同様の装置の典型的な例を示す図である。
【図９ａ】
ただ１つの操作デバイスを有する移動電話または同様の装置の典型的な例を示す図である。
【図９ｂ】
ただ１つの操作デバイスを有する移動電話または同様の装置の典型的な例を示す図である。
【図１０ａ】
ただ１つの操作デバイスを有する移動電話または同様の装置の典型的な例を示す図である。
【図１０ｂ】
ただ１つの操作デバイスを有する移動電話または同様の装置の典型的な例を示す図である。
【図１１ａ】
ただ１つの操作デバイスを有する移動電話または同様の装置の典型的な例を示す図である。
【図１１ｂ】
ただ１つの操作デバイスを有する移動電話または同様の装置の典型的な例を示す図である。
【図１２ａ】
ただ１つの操作デバイスを有する移動電話または同様の装置の典型的な例を示す図である。
【図１２ｂ】
ただ１つの操作デバイスを有する移動電話または同様の装置の典型的な例を示す図である。
【図１３ａ】
移動電話など機能装置の斜視図である。
【図１３ｂ】
移動電話など機能装置の側面図である。
【図１４】
図１３の装置を片手を使って保持して操作することができる様子を示す図である。
【図１５】
移動電話など機能装置に関する代替解決策を示す図である。
【図１６】
例えば図１５に示されるタイプの機能装置を片手を使って保持して操作することができる様子を示す図である。
【図１７ａ】
ＰＤＡ、ミニＰＣ、コミュニケータなどの製品を包含する機能装置を示す図である。
【図１７ｂ】
ＰＤＡ、ミニＰＣ、コミュニケータなどの製品を包含する機能装置を示す図である。
【図１８】
図１７に示されるのと同様の機能装置を、例えば両手を使って保持して操作することができる様子を示す図である。
【図１９】
図１７に示される機能装置を片手を使って保持して操作することができる様子を示す図である。
【図２０】
例えばミニＰＣなど、ある画面サイズを必要とする装置の使用に関連する操作デバイスの代替位置を示す図である。
【図２１】
例えばミニＰＣなど、ある画面サイズを必要とする装置の使用に関連する操作デバイスの代替位置を示す図である。
【図２２】
例えばミニＰＣなど、ある画面サイズを必要とする装置の使用に関連する操作デバイスの代替位置を示す図である。
【図２３】
例えばミニＰＣなど、ある画面サイズを必要とする装置の使用に関連する操作デバイスの代替位置を示す図である。
【図２４】
例えばミニＰＣなど、ある画面サイズを必要とする装置の使用に関連する操作デバイスの代替位置を示す図である。
【図２５】
大きな画面サイズを必要とし、片手を使って保持して操作することができる機能装置の代替解決策を示す図である。
【図２６】
様々なタイプの操作デバイスを使用する図２５に示される解決策に対する代替解決策を示す図である。
【図２７ａ】
多機能操作デバイスを備える機能装置の手動位置での図であり、片手を使って機能装置を保持して操作することができる様子を示す。
【図２７ｂ】
多機能操作デバイスを備える機能装置の手動位置での斜視図である。
【図２７ｃ】
多機能操作デバイスを備える機能装置の側面図である。
【図２８】
押下、回転、およびカーソル制御のための操作デバイスを示す図である。
【図２９】
本発明の手段と共に使用する操作デバイスの代替解決策を示す図である。
【図３０】
本発明の手段と共に使用する操作デバイスの代替解決策を示す図である。
【図３１】
本発明の手段と共に使用する操作デバイスの代替解決策を示す図である。
【図３２】
本発明の手段と共に使用する操作デバイスの代替解決策を示す図である。
【図３３】
押下、回転、およびカーソル制御によって操作デバイスが機能制御を可能にする機能装置を示す図である。
【図３４】
ハンドヘルド機能装置を示す図であり、画面イメージが、機能、選択、およびナビゲーションを指し示すための矢印を示し、しかし任意の特定のスイッチ解決策を示してはいない図である。
【国際公開パンフレット】
2004511849.tif 000003
2004511849.tif 000004
2004511849.tif 000005
2004511849.tif 000006
2004511849.tif 000007
2004511849.tif 000008
2004511849.tif 000009
2004511849.tif 000010
2004511849.tif 000011
2004511849.tif 000012
2004511849.tif 000013
2004511849.tif 000014
2004511849.tif 000015
2004511849.tif 000016
2004511849.tif 000017
2004511849.tif 000018
2004511849.tif 000019
2004511849.tif 000020
2004511849.tif 000021
2004511849.tif 000022
2004511849.tif 000023
2004511849.tif 000024
2004511849.tif 000025
2004511849.tif 000026
2004511849.tif 000027
2004511849.tif 000028
2004511849.tif 000029
2004511849.tif 000030
2004511849.tif 000031
2004511849.tif 000032
【手続補正書】
【提出日】平成14年10月21日(2002.10.21)
【手続補正１】
【補正対象書類名】明細書
【補正対象項目名】特許請求の範囲
【補正方法】変更
【補正の内容】
【特許請求の範囲】
【請求項１】
操作デバイスを有するハンドヘルド機能装置であって、概して人の手とほぼ同じサイズであり、一体化された表示画面を有し、あるいは遠隔表示画面への通信回路を有しており、前記操作デバイスは、ハンドヘルド機能装置を保持または支持する使用者の手のただ１本の指で操作可能な制御要素を有しており、前記制御要素は、少なくとも１つの機能操作を実行するために、前記表示画面上で可動なカーソルまたはマーカを少なくとも２次元で制御するように操作可能であるハンドヘルド機能装置において、
（１）前記制御要素が、その取り扱いを通じて、
ａ）カーソルまたはマーカを、いくつかのメニュー機能アイコンのうちの任意に選択した１つへ移動させてアイコンを選択し、それによって前記制御要素の作動を通じて、アイコンに関連付けられた装置の機能を選択する操作と、
ｂ）前記画面上に表示されたメニュー内をナビゲートするためにカーソルを移動させる操作と、
ｃ）装置機能に関連する様々なメニュー・オプションの選択および確認をして、そのような装置機能を実行する操作と
のうちの少なくとも１つを可能にしており、
（２）前記ａ）またはｃ）の操作が、フォルダまたはファイルの開閉と、数、記号、および文字の選択操作と、任意の時間に表示される少なくともいくつかの情報に関連するデータの取り扱いとのうちの１以上を含んでおり、また
（３）前記制御要素が、
ｄ）傾斜および押下機能を有する段階的可動スライド・キーと、
ｅ）押下機能または中心位置偏倚機能を有する段階的回転可能キーと、
ｆ）押下機能および位置偏倚機能を有する段階的回転可能キーと、
ｇ）押下機能を有する段階的回転可能リング部材であって、付加的な偏倚機能を提供する非回転可能キーを取り囲んでいる段階的回転可能リング部材と、
ｈ）横方向に傾斜可能な回転可能ホイールまたはローラと、
ｉ）回転可能ホイールまたはシリンダであって、その両側部に位置するキーを有している回転可能ホイールまたはシリンダと
の形式の群から選択されることを特徴とするハンドヘルド機能装置。
【請求項２】
前記操作デバイスが、遠隔ディスプレイとワイヤレス接続している請求項１に記載のハンドヘルド機能装置。
【請求項３】
前記タイプｇ）の制御要素の非回転可能キーが、中心位置偏倚機能を備えている請求項１に記載のハンドヘルド機能装置。
【請求項４】
前記ハンドヘルド機能装置が、使用者の手の手のひらと指領域で支持されるように、また前記操作デバイスの前記制御要素の位置において手の人差し指と親指の先領域との間で保持可能であるように設計されている請求項１に記載のハンドヘルド機能装置。
【請求項５】
ハンドヘルド電子装置の使用方法であって、
該ハンドヘルド電子装置が、
ａ）傾斜および押下機能を有する段階的可動スライド・キーと、
ｂ）押下機能または中心位置偏倚機能を有する段階的回転可能キーと、
ｃ）押下機能および中心位置偏倚機能を有する段階的回転可能キーと、
ｄ）押下機能を有する段階的回転可能リング部材であって、非回転可能キーを取り囲んでいる段階的回転可能リング部材と、
ｅ）横方向に傾斜可能な回転可能ホイールまたはローラと、
ｆ）回転可能ホイールまたはシリンダであって、その両側部に位置するキーを有している回転可能ホイールまたはシリンダと
の群から選択される多機能制御要素、および
ｇ）いくつかのメニュー機能アイコンの任意選択の１つにカーソルを移動させ、制御要素の作動によってアイコン、したがって装置でのアイコン関連機能を選択する操作と、
のうちの少なくとも１つを前記制御要素によって対話式に実行するための、装置に関連付けられたディスプレイ
を有していることを特徴とするハンドヘルド電子装置の使用方法。
【国際調査報告】
2004511849.tif 000033
2004511849.tif 000034
2004511849.tif 000035